(57)【要約】【課題】視聴予約された放送番組を適切かつ効率的に視聴又は記録することが可能な番組視聴予約システムを提供する。【解決手段】予約入力受付部１２では視聴番組予約情報の入力を受け付け、当該番組の放送開始が迫ったことが視聴通知部１４からユーザに対して通知される。視聴判断部１５ではユーザの応答に基づき当該番組を視聴可否が判断され、ユーザが当該番組を視聴しない場合、記録指示発信部１６から記録指示が発信される。従って、ユーザが受信端末近傍に居ながらも他の用事等により視聴できない場合であっても、ユーザが視聴不可を表わす情報を応答することにより予約していた放送番組を記録することができる。また、視聴できなかった放送番組のみを記録することにより不要なデータ容量を節約することができる。【選択図】  図１
2004194099.tif 000002
【特許請求の範囲】
【請求項１】
放送番組を受信可能な受信端末に当該放送番組の視聴予約を行なうための番組視聴予約システムであって、
少なくとも前記放送番組の放送開始時刻を含む視聴番組予約情報の入力を受け付ける予約入力受付手段と、
前記放送開始時刻又はそれ以前に前記放送番組の開始が迫ったことを前記受信端末のユーザに対して通知する視聴通知手段と、
前記通知を受けた前記ユーザによって応答された前記放送番組を視聴するか否かを示す視聴確認情報を受け付ける視聴判断手段と、
前記ユーザが前記放送番組を視聴しないことを示す視聴確認情報を前記視聴判断手段が受け付けた場合、当該放送番組を記録させる指示を発信する記録指示発信手段と
を備えることを特徴とする番組視聴予約システム。
【請求項２】
前記受信端末は、前記ユーザが携帯運搬可能な携帯端末であることを特徴とする請求項１に記載の番組視聴予約システム。
【請求項３】
前記視聴判断手段は、前記通知を受けた前記ユーザから応答が無かった場合には、前記ユーザが前記放送番組を視聴しないこととして前記視聴確認情報を受け付けることを特徴とする請求項１又は２に記載の番組視聴予約システム。
【請求項４】
前記記録指示発信手段は、前記放送番組を記録させる指示を前記受信端末と異なる記録用端末に対して発信することを特徴とする請求項１〜３のいずれかに記載の番組視聴予約システム。
【請求項５】
放送番組を受信可能な受信端末に当該放送番組の視聴予約を行なうための番組視聴予約方法であって、
少なくとも前記放送番組の放送開始時刻を含む視聴番組予約情報の入力を受け付ける予約入力受付ステップと、
前記放送開始時刻又はそれ以前に前記放送番組の開始が迫ったことを前記受信端末のユーザに対して通知する視聴通知ステップと、
前記通知を受けた前記ユーザによって応答された前記放送番組を視聴するか否かを示す視聴確認情報を受け付ける視聴判断ステップと、
前記ユーザが前記放送番組を視聴しないことを示す視聴確認情報を前記視聴判断手段が受け付けた場合、当該放送番組を記録させる指示を発信する記録指示発信ステップと
を備えることを特徴とする番組視聴予約方法。
【請求項６】
前記受信端末として、前記ユーザが携帯運搬可能な携帯端末が用いられることを特徴とする請求項５に記載の番組視聴予約方法。
【請求項７】
前記視聴判断ステップでは、前記通知を受けた前記ユーザから応答が無かった場合には、前記ユーザが前記放送番組を視聴しないこととして前記視聴確認情報を受け付けることを特徴とする請求項５又は６に記載の番組視聴予約方法。
【請求項８】
前記記録指示発信ステップでは、前記放送番組を記録させる指示を前記受信端末と異なる記録用端末に対して発信することを特徴とする請求項５〜７のいずれかに記載の番組視聴予約方法。
【請求項９】
放送番組を受信可能な受信端末に当該放送番組の視聴予約を行なうためのコンピュータが読み取り可能な番組視聴予約プログラムであって、
前記コンピュータに、
少なくとも前記放送番組の放送開始時刻を含む視聴番組予約情報の入力を受け付ける予約入力受付処理と、
前記放送開始時刻又はそれ以前に前記放送番組の開始が迫ったことを前記受信端末のユーザに対して通知する視聴通知処理と、
前記通知を受けた前記ユーザによって応答された前記放送番組を視聴するか否かを示す視聴確認情報を受け付ける視聴判断処理と、
前記ユーザが前記放送番組を視聴しないことを示す視聴確認情報を前記視聴判断手段が受け付けた場合、当該放送番組を記録させる指示を発信する記録指示発信処理と
を実行させることを特徴とする番組視聴予約プログラム。
【請求項１０】
前記受信端末として、前記ユーザが携帯運搬可能な携帯端末が用いられることを特徴とする請求項１０に記載の番組視聴予約プログラム。
【請求項１１】
前記視聴判断処理では、前記コンピュータに、前記通知を受けた前記ユーザから応答が無かった場合には、前記ユーザが前記放送番組を視聴しないこととして前記視聴確認情報を受け付けさせることを特徴とする請求項９又は１０に記載の番組視聴予約プログラム。
【請求項１２】
前記記録指示発信処理では、前記コンピュータに、前記放送番組を記録させる指示を前記受信端末と異なる記録用端末に対して発信させることを特徴とする請求項９〜１１のいずれかに記載の番組視聴予約プログラム。
【請求項１３】
請求項９〜１２のいずれかに記載の番組視聴予約プログラムを記録したことを特徴とする記録媒体。
【発明の詳細な説明】
【０００１】
【発明の属する技術分野】
本発明は、放送番組を受信可能な受信端末に当該放送番組の視聴予約を行なうための番組視聴予約システム、番組視聴予約方法、番組視聴予約プログラム及びそれを記録した記録媒体に関する。
【０００２】
【従来の技術】
従来のテレビジョン放送番組の視聴予約に関する技術としては、番組に対する所定の状態を検出すると共にセンサ等によって視聴者の存在の検出を行ない、視聴者の存在が検出されなかった場合には視聴者が番組を見逃したものとの判定を行なう放送受信装置があった。この放送受信装置は、番組を受信データとして蓄積する機能を備えており、番組の見逃しが判定された場合には蓄積された受信データが読み出されることになっていた（例えば、特許文献１参照。）。
【０００３】
【特許文献１】
特開２００１−１２８０７６号公報
【０００４】
【発明が解決しようとする課題】
しかしながら、上記従来技術ではセンサ等による視聴者の存否に基づいて番組の見逃しを判定していたため、例えば視聴者が受信装置近傍に居ながらも他の用事等を行なっており、見逃し判定されることなく番組を見逃してしまうという状況に対処することができなかった。
【０００５】
また、上記従来技術では見逃し判定の有無に関わらず番組の受信データを蓄積していたため、特に多数の視聴予約番組が存在する場合等には膨大なデータ容量が必要となり、データ容量不足によって視聴者が見逃した番組を記録できないケースも生じていた。
【０００６】
本発明は上記課題に鑑みてなされたものであり、視聴予約された放送番組を適切かつ効率的に視聴又は記録することが可能な番組視聴予約システム、番組視聴予約方法、番組視聴予約プログラム及びそれを記録した記録媒体を提供することを目的とする。
【０００７】
【課題を解決するための手段】
本発明に係る番組視聴予約システムは、放送番組を受信可能な受信端末に当該放送番組の視聴予約を行なうための番組視聴予約システムであって、少なくとも前記放送番組の放送開始時刻を含む視聴番組予約情報の入力を受け付ける予約入力受付手段と、前記放送開始時刻又はそれ以前に前記放送番組の開始が迫ったことを前記受信端末のユーザに対して通知する視聴通知手段と、前記通知を受けた前記ユーザによって応答された前記放送番組を視聴するか否かを示す視聴確認情報を受け付ける視聴判断手段と、前記ユーザが前記放送番組を視聴しないことを示す視聴確認情報を前記視聴判断手段が受け付けた場合、当該放送番組を記録させる指示を発信する記録指示発信手段とを備えることを特徴とする。
【０００８】
また、本発明に係る番組視聴予約方法は、放送番組を受信可能な受信端末に当該放送番組の視聴予約を行なうための番組視聴予約方法であって、少なくとも前記放送番組の放送開始時刻を含む視聴番組予約情報の入力を受け付ける予約入力受付ステップと、前記放送開始時刻又はそれ以前に前記放送番組の開始が迫ったことを前記受信端末のユーザに対して通知する視聴通知ステップと、前記通知を受けた前記ユーザによって応答された前記放送番組を視聴するか否かを示す視聴確認情報を受け付ける視聴判断ステップと、前記ユーザが前記放送番組を視聴しないことを示す視聴確認情報を前記視聴判断手段が受け付けた場合、当該放送番組を記録させる指示を発信する記録指示発信ステップとを備えることを特徴とする。
【０００９】
また、本発明に係る番組視聴予約プログラムは、放送番組を受信可能な受信端末に当該放送番組の視聴予約を行なうためのコンピュータが読み取り可能な番組視聴予約プログラムであって、前記コンピュータに、少なくとも前記放送番組の放送開始時刻を含む視聴番組予約情報の入力を受け付ける予約入力受付処理と、前記放送開始時刻又はそれ以前に前記放送番組の開始が迫ったことを前記受信端末のユーザに対して通知する視聴通知処理と、前記通知を受けた前記ユーザによって応答された前記放送番組を視聴するか否かを示す視聴確認情報を受け付ける視聴判断処理と、前記ユーザが前記放送番組を視聴しないことを示す視聴確認情報を前記視聴判断手段が受け付けた場合、当該放送番組を記録させる指示を発信する記録指示発信処理とを実行させることを特徴とする。
【００１０】
これらの発明によれば、少なくとも放送番組の放送開始時刻を含む視聴番組予約情報の入力を受け付け、放送開始時刻又はそれ以前に放送番組の開始が迫ったことを受信端末のユーザに対して通知する。そして、その通知を受けたユーザによって応答された放送番組を視聴するか否かを示す視聴確認情報を受け付け、ユーザが放送番組を視聴しないことを示す視聴確認情報を受け付けた場合、当該放送番組を記録させる指示を発信する。
【００１１】
従って、ユーザが受信端末近傍に居ながらも他の用事等により視聴できない場合であっても、ユーザが視聴不可を表わす情報を応答することにより予約していた放送番組を記録することが可能になる。また、視聴できなかった放送番組のみを記録することにより不要なデータ容量を節約することができるため、データ容量不足によって視聴者が見逃した番組を記録できないというケースを減らすことが可能になる。
【００１２】
また、上記番組視聴予約システムにおいて、前記受信端末は、前記ユーザが携帯運搬可能な携帯端末であることを特徴としてもよい。
【００１３】
また、上記番組視聴予約方法において、前記受信端末として、前記ユーザが携帯運搬可能な携帯端末が用いられることを特徴としてもよい。
【００１４】
また、上記番組視聴予約プログラムにおいて、前記受信端末として、前記ユーザが携帯運搬可能な携帯端末が用いられることを特徴としてもよい。
【００１５】
近年、携帯電話に代表される携帯端末によってテレビジョン放送等の放送番組を受信できるようになりつつある。しかし、携帯端末には使用マナーについての問題が存在し、ユーザが当該携帯端末近傍に居るにも関わらずマナー問題から番組を視聴できないケースも多々発生する。従って、特にこれらの発明のように受信端末が携帯端末である場合、ユーザからの応答により視聴の可否を判断することがいっそう好便となる。
【００１６】
また、上記番組視聴予約システムにおいて、前記視聴判断手段は、前記通知を受けた前記ユーザから応答が無かった場合には、前記ユーザが前記放送番組を視聴しないこととして前記視聴確認情報を受け付けることも好ましい。
【００１７】
また、上記番組視聴予約方法において、前記視聴判断ステップでは、前記通知を受けた前記ユーザから応答が無かった場合には、前記ユーザが前記放送番組を視聴しないこととして前記視聴確認情報を受け付けることも好ましい。
【００１８】
また、上記番組視聴予約プログラムにおいて、前記視聴判断処理では、前記コンピュータに、前記通知を受けた前記ユーザから応答が無かった場合には、前記ユーザが前記放送番組を視聴しないこととして前記視聴確認情報を受け付けさせることも好ましい。
【００１９】
ユーザが放送番組の開始が迫ったことを示す通知を受けたとしても、他の用事等のため応答できないというケースが考えられる。特に受信端末が携帯端末である場合には、上述と同様のマナー問題によりユーザが端末近傍に居るにも関わらず応答できないというケースも少なからず存在する。従って、これらの発明のように、ユーザから応答が無かった場合には放送番組を視聴しないと判断すれば、応答できなかったことによる番組の記録漏れ等を防止することが可能になる。
【００２０】
また、上記番組視聴予約システムにおいて、前記記録指示発信手段は、前記放送番組を記録させる指示を前記受信端末と異なる記録用端末に対して発信することも好ましい。
【００２１】
また、上記番組視聴予約方法において、前記記録指示発信ステップでは、前記放送番組を記録させる指示を前記受信端末と異なる記録用端末に対して発信することも好ましい。
【００２２】
また、上記番組視聴予約プログラムにおいて、前記記録指示発信処理では、前記コンピュータに、前記放送番組を記録させる指示を前記受信端末と異なる記録用端末に対して発信させることも好ましい。
【００２３】
これらの発明のように、受信端末と異なる記録用端末に対して放送番組を記録させる指示を出すこととすれば、受信端末のデータ容量を節約することが可能になる。携帯電話等の携帯端末は小型化かつ軽量化が進んでいるため、特に受信端末が携帯端末である場合にいっそう好便となる。
【００２４】
また、本発明に係る記録媒体は、上記いずれかに記載の番組視聴予約プログラムを記録したことを特徴とする。
【００２５】
この発明のように、上記番組視聴予約プログラムを記録媒体に記録して用いれば、複数の受信端末において番組視聴予約プログラムを用いたい場合等に好適となる。
【００２６】
【発明の実施の形態】
以下、添付図面を参照しながら、本発明に係る番組視聴予約システム、番組視聴予約方法、番組視聴予約プログラム及びそれを記録した記録媒体の実施形態について説明する。なお、本実施形態では、ユーザが視聴予約を行なう番組はテレビジョン放送番組であるとし、受信端末として携帯電話端末、記録用端末として受信端末とは異なる録画端末が用いられる場合を例に挙げて説明する。
【００２７】
まず、本実施形態に係る番組視聴予約システムの構成について説明する。図１は、本実施形態に係る番組視聴予約システム１の構成及び外部要素との接続関係を示すブロック図である。この番組視聴予約システム１は、携帯電話端末２に内包された構成を採っており、送受信インターフェース１１と、予約入力受付部１２と、予約情報格納部１３と、視聴通知部１４と、視聴判断部１５と、記録指示発信部１６とを備えて構成される。
【００２８】
番組視聴予約システム１を内包する携帯電話端末２は、情報通信網Ｎを通じてテレビジョン放送の受信が可能であり、表示部２１と、入力部２２と、番組受信部２３とを備えている。また、録画端末３は、テレビジョン放送の受信が可能であると共に情報通信網Ｎを通じて携帯電話端末２から発信された情報を受信することが可能であり、録画情報受信部３１と、録画部３２とを備えている。以下、各構成要素及びそれらの接続関係について詳細に説明する。
【００２９】
送受信インターフェース１１は、番組視聴予約システム１と携帯電話端末２の他の構成要素との間で各種情報の送受信をつかさどるインターフェースであり、予約入力受付部１２、視聴通知部１４、視聴判断部１５、記録指示発信部１６、表示部２１、入力部２２及び番組受信部２３と信号線を介して接続されている。
【００３０】
予約入力受付部１２は、送受信インターフェース１１及び予約情報格納部１３と信号線を介して接続されており、送受信インターフェース１１を通じて入力部２２により入力された視聴番組予約情報を受け付けると共にこの視聴番組予約情報を予約情報格納部１３に格納することが可能になっている。
【００３１】
視聴通知部１４は、送受信インターフェース１１及び予約情報格納部１３と信号線を介して接続されており、予約情報格納部１３に格納された視聴番組予約情報を読み出すと共に送受信インターフェース１１を通じて当該番組の開始時刻が迫ったことを示す通知を表示部２１に送信することが可能になっている。
【００３２】
視聴判断部１５は、送受信インターフェース１１及び記録指示発信部１６と信号線を介して接続されており、送受信インターフェース１１を通じて入力部２２により入力されたユーザの応答（視聴確認情報）を受け付けると共にこの応答から視聴の可否を判断することが可能になっている。そして、ユーザが番組を視聴すると判断した場合には送受信インターフェース１１を通じて番組受信部２３に対して番組の受信を示す情報を送信し、ユーザが番組を視聴しないと判断した場合には記録指示発信部１６に番組の記録を示す情報を送信することが可能になっている。
【００３３】
記録指示発信部１６は、送受信インターフェース１１、予約情報格納部１３及び視聴判断部１５と信号線を介して接続されており、視聴判断部１５から送信された番組の記録に関する情報を受け付けた場合、予約情報格納部１３に格納された視聴番組予約情報を読み出すと共に送受信インターフェース１１及び情報通信網Ｎを通じて当該番組の録画指示を録画情報受信部３１に送信することが可能になっている。
【００３４】
表示部２１は、送受信インターフェース１１、入力部２２及び番組受信部２３と信号線を介して接続されており、送受信インターフェース１１を通じて視聴通知部１４から送信された視聴番組の開始時刻が迫ったことを示す通知を表示することが可能になっている。この表示部２１としては、例えば携帯電話端末２内の液晶ディスプレイが用いられる。
【００３５】
入力部２２は、送受信インターフェース１１及び表示部２１と信号線を介して接続されており、視聴番組予約情報の入力及び当該番組の開始時刻が迫ったことを示す通知に対する応答の入力を行なうことが可能になっている。この入力部２２としては、例えば携帯電話端末２内の各種通話ボタンが用いられる。
【００３６】
番組受信部２３は、送受信インターフェース１１及び表示部２１と信号線を介して接続されており、送受信インターフェース１１を通じて視聴判断部１５から送信された番組の受信を示す情報を受け付けると共に当該番組を受信して表示部２１上に表示させることが可能になっている。この番組受信部２３としては、例えば携帯電話端末２に内蔵されたテレビジョン放送チューナーが用いられる。
【００３７】
録画情報受信部３１は、録画部３２と信号線を介して接続されており、送受信インターフェース１１及び情報通信網Ｎを通じて記録指示発信部１６から発信された番組の録画指示を受信すると共にこの録画指示を録画部３２に送信することが可能になっている。
【００３８】
録画部３２は、録画情報受信部３１と信号線を介して接続されており、録画情報受信部３１から送信された番組の録画指示を受け付けると共に当該番組の録画動作を行なうことが可能になっている。この録画部３２としては、例えば家庭用ビデオ録画装置が用いられる。
【００３９】
また、本実施形態に係る番組視聴予約プログラムは、携帯電話端末２に内蔵されたコンピュータシステムが読み取り可能なプログラムである。図２に示すように、この番組視聴予約プログラム４は、ＣＤ−ＲＯＭ等の記録媒体５のプログラム領域５１に記録されており、処理を総括するメインモジュール４０と、各種情報の送受信をつかさどる送受信インターフェースモジュール４１と、入力された視聴番組予約情報を受け付ける予約入力受付モジュール４２と、視聴予約番組の開始時刻が迫ったことを通知する視聴通知モジュール４３と、ユーザの応答に基づき視聴の可否を判断する視聴判断モジュール４４と、番組の録画指示を発信する記録指示発信モジュール４５とを備えて構成される。また、記録媒体５のデータ領域５２には、視聴番組予約情報を格納する予約情報データベース５２１が記録されている。この番組視聴予約プログラム４を読み込ませることにより、携帯電話端末２に内蔵されたコンピュータシステムに上記番組視聴予約システム１と同様の機能を果たさせることが可能になっている。すなわち、携帯電話端末２に内蔵されたコンピュータシステムに含まれるプロセッサ等が上記送受信インターフェース１１、予約入力受付部１２、視聴通知部１４、視聴判断部１５及び記録指示発信部１６の役割を果たし、メモリ等が上記予約情報格納部１３の役割を果たすことになる。
【００４０】
次に、図３に示すチャート図を参照しながら、本実施形態に係る番組視聴予約システムの動作（本実施形態に係る番組視聴予約方法）について説明する。
【００４１】
まずユーザは、入力部２２を用いて視聴したいテレビジョン放送番組の予約情報（視聴番組予約情報）を入力する（ステップＳ１）。具体的には、放送チャンネル、開始時刻、終了時刻、番組名等の当該番組を特定するための情報を入力する。こうして入力された視聴番組予約情報は、送受信インターフェース１１を通じて入力受付部１２により受け付けられ、例えば図４に示すようなテーブルデータとして予約情報格納部１３に格納される。
【００４２】
視聴番組予約情報が入力されると、視聴通知部１４では予約情報格納部１３に格納されたテーブルデータを参照して当該番組の開始時刻が迫っているかどうかが判定される（ステップＳ２）。例えば通知時刻が５分前と設定されている場合、当該番組の開始時刻の５分前になると、視聴通知部１４において当該番組の開始時刻が迫っていると判定される。そして、当該番組の開始時刻が迫ったことを示す通知が視聴通知部１４から送受信インターフェース１１を通じて表示部２１に送信され、例えば図５に示すような通知が表示部２１に画面表示される（ステップＳ３）。
【００４３】
この通知を受けたユーザは、入力部２２を用いて当該番組を視聴するかどうかの応答を行なう。例えばユーザが当該番組を視聴する場合には、図５に示すような画面表示上で「はい」項目にカーソルを合わせて入力ボタンを押すと、送受信インターフェース１１を通じてこの応答（視聴確認情報）を受け付けた視聴判断部１５では、ユーザが当該番組を視聴可能であると判断される（ステップＳ４）。そして、視聴判断部１５から送受信インターフェース１１を通じて番組受信部２３に対して当該番組の受信指示が送信され、これを受けた番組受信部２３では当該番組を受信して表示部２１上に表示させる（ステップＳ５）。これにより、ユーザは表示部２１上で当該番組を視聴することができる。
【００４４】
一方、ユーザが当該番組を視聴しない場合には、図５に示すような画面表示上で「いいえ」項目にカーソルを合わせて入力ボタンを押すと、送受信インターフェース１１を通じてこの応答（視聴確認情報）を受け付けた視聴判断部１５では、ユーザが当該番組を視聴不能であると判断される（ステップＳ４）。また、何らかの事情によりユーザが通知に応答できない場合には、通知から所定時間（例えば１分）を経た後に視聴判断部１５ではユーザが当該番組を視聴不能であると判断される（ステップＳ４）。そして、視聴判断部１５から記録指示発信部１６に対して当該番組の記録を示す情報が送信され、記録指示発信部１６では予約情報格納部１３に格納された当該番組の情報が読み出されて録画指示が発信される（ステップＳ６）。
【００４５】
記録指示発信部１６から発信された当該番組の録画指示は、送受信インターフェース１１及び情報通信網Ｎを通じて録画情報受信部３１にて受信される（ステップＳ７）。そして、録画情報受信部３１から録画部３２に対して当該番組の録画指示が送信され、これを受けた録画部３２では当該番組の録画動作が行なわれる（ステップＳ８）。これにより、ユーザは録画された当該番組を都合の良い時間に視聴することができる。
【００４６】
以上、単一の放送番組の視聴予約動作について説明したが、視聴予約したい番組が複数ある場合にはそれら各番組について同様の動作が繰り返される。すなわち、入力された複数の番組に関する視聴番組予約情報が予約情報格納部１３に格納され、視聴通知部１４では各番組について開始時刻が迫っていることを示す通知が行なわれ、視聴判断部１５では視聴確認情報に基づき各番組について視聴可否が判断されることになる。
【００４７】
なお、本発明に係る番組視聴予約システム、番組視聴予約方法、番組視聴予約プログラム及びそれを記録した記録媒体は、上記記載の実施形態に限定されるものではなく、様々な変形態様を採ることが可能である。例えば、上記実施形態では、ユーザが視聴予約を行なう番組はテレビジョン放送番組であるとしたが、ラジオ放送番組やデジタル放送番組等のその他各種放送番組であってもよい。
【００４８】
また、上記実施形態では、番組視聴予約システムが受信端末である携帯電話端末に内包される態様について説明したが、番組視聴予約システムが携帯電話端末の外部に存在する態様を採ってもよい。この場合、携帯電話通信網やインターネット通信網等が番組視聴予約システムと携帯電話端末との間の各種情報送受信の役割を担うことになる。
【００４９】
また、上記実施形態では、視聴したい放送番組を特定する視聴番組予約情報をユーザ自身が直接入力する例について説明したが、他の手法によって視聴番組予約情報を入力することとしてもよい。例えば、インターネット回線を通じて携帯電話端末に配信された放送番組表から視聴したい放送番組を選択することとしてもよく、テレビジョン放送番組を特定可能な番組コード番号を入力することとしてもよい。
【００５０】
また、上記実施形態では、視聴予約番組の開始時刻の５分前に当該番組の開始時刻が迫ったと通知する例について説明したが、通知時刻は開始時刻と同時又はそれ以前であればよく、この通知時刻をユーザが任意に設定できることとしてもよい。さらに、上記実施形態では、視聴予約番組の開始時刻が迫ったことを画面表示によって通知する例について説明したが、音声やバイブレーション機能等を用いて通知することとしてもよい。
【００５１】
【発明の効果】
本発明に係る番組視聴予約システム、番組視聴予約方法及び番組視聴予約プログラムによれば、ユーザが受信端末近傍に居ながらも他の用事等により視聴できない場合であっても、ユーザが視聴不可を表わす情報を応答することにより予約していた放送番組を記録することが可能になる。また、視聴できなかった放送番組のみを記録することにより不要なデータ容量を節約することができるため、データ容量不足によって視聴者が見逃した番組を記録できないというケースを減らすことが可能になる。
【００５２】
また、特に受信端末が携帯端末である場合、ユーザからの応答により視聴の可否を判断することがいっそう好便となる。
【００５３】
また、ユーザから応答が無かった場合には放送番組を視聴しないと判断すれば、応答できなかったことによる番組の記録漏れ等を防止することが可能になる。
【００５４】
また、受信端末と異なる記録用端末に対して放送番組を記録させる指示を出すこととすれば、受信端末のデータ容量を節約することが可能になる。携帯電話等の携帯端末は小型化かつ軽量化が進んでいるため、特に受信端末が携帯端末である場合にいっそう好便となる。
【００５５】
また、本発明に係る番組視聴予約プログラムを記録媒体に記録して用いることによって、複数の受信端末において番組視聴予約プログラムを用いたい場合等に好適となる。
【図面の簡単な説明】
【図１】本実施形態に係る番組視聴予約システムの構成及び外部要素との接続関係を示すブロック図である。
【図２】本実施形態に係る番組視聴予約プログラムを記録した記録媒体の構成図である。
【図３】本実施形態に係る番組視聴予約システムの動作（本実施形態に係る番組視聴予約方法）について説明するチャート図である。
【図４】視聴番組予約情報のテーブルデータである。
【図５】番組の開始時刻が迫ったことを示す通知の画面表示例である。
【符号の説明】
１…番組視聴予約システム、２…携帯電話端末、３…録画端末、４…番組視聴予約プログラム、５…記録媒体、１１…送受信インターフェース、１２…予約入力受付部、１３…予約情報格納部、１４…視聴通知部、１５…視聴判断部、１６…記録指示発信部、２１…表示部、２２…入力部、２３…番組受信部、３１…録画情報受信部、３２…録画部、４０…メインモジュール、４１…送受信インターフェースモジュール、４２…予約入力受付モジュール、４３…視聴通知モジュール、４４…視聴判断モジュール、４５…記録指示発信モジュール、Ｎ…情報通信網
【図１】
2004194099.tif 000003
【図２】
2004194099.tif 000004
【図３】
2004194099.tif 000005
【図４】
2004194099.tif 000006
【図５】
2004194099.tif 000007